(57)【要約】【課題】絨毯等及び突起群を傷めることなく、軽い力で良好に絨毯等の広い範囲から抜け毛等を梳き出して回収することができる電気掃除機用ノズルを提供すること。【解決手段】進行方向に対し横長となる吸込口６を有するノズル本体２と、このノズル本体２を掃除機本体に接続するための接続管部３と、前記吸込口６の近傍に設けられた突起群２０とを有し、前記ノズル本体２の主たる進行方向となる前方向を基準とし、前記吸込口６の後側に、付勢手段としてのコイルバネ２１によって前記突起群２０を出没可能に設けたことで、この突起群２０が絨毯Ｃ等に適度な力で押し付けられる。この状態でノズル１を絨毯Ｃに沿って前方に動かすと、絨毯Ｃから受ける抵抗で前記突起群２０が上下に動くので、絨毯Ｃ及び前記突起群２０の傷みを最小限とし、軽い力で良好に絨毯Ｃの広い範囲から抜け毛を梳き出し、前記吸込口６から吸引することができる。【選択図】図４
2012135369.tif 000002
【特許請求の範囲】
【請求項１】
進行方向に対し横長となる吸込口を有するノズル本体と、このノズル本体を掃除機本体に接続するための接続管部と、前記吸込口の近傍に設けられた突起群とを有する電気掃除機用ノズルであって、
前記ノズル本体の主たる進行方向を基準として、前記吸込口の後側に前記突起群を出没可能に設けると共に、前記突起群を突出方向に付勢する付勢手段を設けたことを特徴とする電気掃除機用ノズル。
【請求項２】
前記突起群を構成する各突起を、それぞれ錐状に形成したことを特徴とする請求項１記載の電気掃除機用ノズル。
【請求項３】
前記突起群を複数の小群により構成すると共に、これらの小群を、互いに独立してノズル本体から出没可能に構成したことを特徴とする請求項１記載の電気掃除機用ノズル。
【請求項４】
前記接続管部と吸込口を連通させる連通部から離れるほど、前記突起から吸込口までの距離が小さくなるように構成したことを特徴とする請求項１記載の電気掃除機用ノズル。
【発明の詳細な説明】
【技術分野】
【０００１】
本発明は、電気掃除機用ノズルに関するものであり、特に、絨毯やふとん等に付着した毛等を吸引するのに適した電気掃除機用ノズルに関するものである。
【背景技術】
【０００２】
従来、この種の電気掃除機用ノズルとしては、真空掃除機の吸引管に対して着脱自在となるように構成されると共に、吸込口に沿う位置に、被清掃物の毛を梳くための間隔を保って並設した複数の梳歯を有する櫛状部（本願発明の突起群に相当する）を備えた吸込み具が知られている（例えば、特許文献１参照。）。この吸込み具は、絨毯等の被清掃物に櫛状部を押し当てて前後動させ、梳歯で被清掃物の毛を梳くようにしながら吸引することで、被清掃物の内部深くにあった塵埃を表面まで梳き出して、この梳き出された塵埃を吸込口から吸い込むことができる。
【先行技術文献】
【特許文献】
【０００３】
【特許文献１】実公平７−１１７３４号公報
【発明の概要】
【発明が解決しようとする課題】
【０００４】
しかしながら、このような電気掃除機用ノズルの突起群は、絨毯等を梳くために、硬い材質によって構成されていた。従って、突起群を絨毯や毛布等に強く押し付けることで、絨毯や毛布等を傷める虞があった。このような問題を回避するために、突起群をエラストマー等の可撓性を有する材質によって構成することが考えられる。しかしながら、このような突起群では、突起群を構成する突起の先端が徐々に摩耗することで、絨毯等に潜む抜け毛等が徐々に梳き出し難くなってしまう虞があった。また、絨毯等の広い範囲に潜む抜け毛等を良好に梳き出すためには、従来から電気掃除機で用いられているＴ字形のノズルに、上述した突起群を設けるのが効果的である。この構造では、必然的に、突起群を構成する突起の数が増える。しかしながら、突起群を構成する突起の数が増えると、絨毯等を梳く際の抵抗が大きくなってしまうという問題もあった。
【０００５】
本発明は以上の問題点を解決し、絨毯等及び突起群を傷めることなく、軽い力で良好に絨毯等の広い範囲から抜け毛等を梳き出して回収することができる電気掃除機用ノズルを提供することを目的とする。
【課題を解決するための手段】
【０００６】
本発明の請求項１に記載の電気掃除機用ノズルは、進行方向に対し横長となる吸込口を有するノズル本体と、このノズル本体を掃除機本体に接続するための接続管部と、前記吸込口の近傍に設けられた突起群とを有する電気掃除機用ノズルであって、前記ノズル本体の主たる進行方向を基準として、前記吸込口の後側に前記突起群を出没可能に設けると共に、前記突起群を突出方向に付勢する付勢手段を設けたものである。
【０００７】
また、本発明の請求項２に記載の電気掃除機用ノズルは、請求項１において、前記突起群を構成する各突起を、それぞれ錐状に形成したものである。
【０００８】
また、本発明の請求項３に記載の電気掃除機用ノズルは、請求項１において、前記突起群を複数の小群により構成すると共に、これらの小群を、互いに独立してノズル本体から出没可能に構成したものである。
【０００９】
更に、本発明の請求項４に記載の電気掃除機用ノズルは、請求項１において、前記接続管部と吸込口を連通させる連通部から離れるほど、前記突起から吸込口までの距離が小さくなるように構成したものである。
【発明の効果】
【００１０】
本発明の請求項１に記載の電気掃除機用ノズルは、以上のように構成することにより、絨毯等の上に置くことで、前記突起群が前記付勢手段の付勢力に抗して前記ノズル本体内に押し込まれると共に、前記突起群を構成する各突起の先端が絨毯等の毛の内部に入り込む。換言すれば、前記突起群は、前記付勢手段の付勢力によって、絨毯等に適度な力で押し付けられる。この状態で前記ノズルを絨毯等に沿って主たる進行方向となる前方向に動かすと、前記吸込口の後側に位置する前記突起群によって絨毯等から抜け毛等を梳き出して、前記吸込口から吸引することができる。そして、前記ノズルを動かす際に、絨毯等から受ける抵抗によって前記突起群が上下に動くので、絨毯等及び前記突起群を傷めないようにすることができる。また、前記突起群が絨毯等から過大な抵抗を受けないことで、軽い操作力で良好に絨毯等の広い範囲から抜け毛等を梳き出して回収することができる。
【００１１】
なお、前記突起群を構成する各突起を、それぞれ錐状に形成することで、前記突起群に絡んだ抜け毛等が、前記ノズルの動きに伴って、前記各突起の傾斜に沿って抜けるので、前記突起群に抜け毛等が絡み付かないようにすることができるばかりでなく、前記各突起の先端部が摩耗しても、これらの先端部をある程度細く保つことができるので、長期間、良好に絨毯等から抜け毛等を梳き出して回収することができる。
【００１２】
また、前記突起群を複数の小群により構成すると共に、これらの小群を、互いに独立してノズル本体から出没可能に構成することにより、毛足に長短のあるような絨毯等であっても、各小群が独立して出没するので、ノズル全体でほぼ均等に抜け毛等を梳き出すことができる。
【００１３】
更に、前記接続管部と吸込口を連通させる連通部から離れるほど、前記突起から吸込口までの距離が小さくなるように構成することにより、ノズル全体でほぼ均等に抜け毛等を吸引することができる。
【図面の簡単な説明】
【００１４】
【図１】本発明の第一の実施形態を示す電気掃除機用ノズルの正面図である。
【図２】同、底面図である。
【図３】同、Ａ−Ａ断面図である。
【図４】同、要部の拡大断面図である。
【図５】同、要部の拡大断面図である。
【図６】同、要部の拡大断面図である。
【図７】本発明の第二の実施形態を示す電気掃除機用ノズルの底面図である。
【図８】本発明の第三の実施形態を示す電気掃除機用ノズルの底面図である。
【図９】本発明の第四の実施形態を示す電気掃除機用ノズルの底面図である。
【図１０】本発明の第五の実施形態を示す電気掃除機用ノズルの底面図である。
【発明を実施するための形態】
【００１５】
以下、本発明の第一の実施形態について、図１乃至図６に基づいて説明する。１は本発明のノズルである。このノズル１は、ノズル本体２と、このノズル本体２に揺動可能に連結された接続管部３とを有して構成される。
【００１６】
前記ノズル本体２は、上本体４と、下本体５とを有して構成される。そして、前記下本体５の前下部には、吸込口６が形成される。この吸込口６は、横長に形成されると共に、その中央部に設けられた連通部７によって、前記接続管部３と連通する。前記吸込口６の前方の左右両端部には、一対の突起部８が設けられる。そして、これらの突起部８には、清掃対象である絨毯Ｃ等を傷めないように、それぞれ起毛部材９が設けられる。また、前記吸込口６の前方の中央部には、絨毯Ｃ等の浮き上がりを押さえるための突起部１０が設けられる。一方、前記吸込口６の後側には、この吸込口６とほぼ平行に突出部１１が形成される。そして、この突出部１１には、前記吸込口６に近接して、この吸込口６とほぼ平行に溝部１２が形成される。なお、この溝部１２には、複数の爪状の抜け止め部１３が形成される。更に、前記下本体５の後部には、ローラー１４が設けられる。そして、前記各突起部８の起毛部材９及びローラー１４が絨毯Ｃ等に接することによって、前記吸込口６が絨毯Ｃから浮いた状態で保たれる。また、前記ノズル本体２には、軸受部１５が形成される。
【００１７】
前記接続管部３は、接続体１６と、接続管１７と、シャッター１８とを有して構成される。そして、前記接続体１６は、前記ノズル本体２の軸受部１５に対し、回動自在に取り付けられる。また、前記接続体１６には、切欠部１９が形成され、この切欠部１９に前記接続管１７が揺動自在に取り付けられる。更に、前記シャッター１８は、前記接続体１６の切欠部１９に、前記接続体１６と接続管１７との間に形成された隙間を塞ぐように設けられる。
【００１８】
前記溝部１２には、突起群２０及び付勢手段としての複数のコイルバネ２１が設けられる。前記突起群２０は、フレーム２２と、エラストマー等で形成された突起部材２３とを有して構成される。そして、前記突起部材２３は、横長棒状の基部２４と、この基部２４に対し直交して設けられた複数の突起２５とで一体に形成される。前記基部２４は、チャネル材状の前記フレーム２２によって保持される。また、前記各突起２５は、先端が丸められた楕円錐状に形成される。そして、前記突起群２０は、前記溝部１２に取り付けられた状態で、前記抜け止め部１３によって抜け止めされる。なお、前記フレーム２２の上下方向寸法は、前記溝部１２の深さ寸法よりも小さく形成される。従って、前記フレーム２２は、前記溝部１２内を上下方向に移動可能である。このため、前記突起群２０は、前記溝部１２に対し出没可能となる。そして、前記突起群２０は、前記各コイルバネ２１によって下方に付勢される。なお、前記コイルバネ２１は、全体として、前記ノズル１を床等の上に置いた状態で、前記ノズル本体２及び接続管部３の自重によって、前記突起群２０を前記溝部１２内に最大限押し込ませることができると共に、前記ノズル１を絨毯Ｃ等の上に置いた状態で、前記各突起２５の先端部を絨毯Ｃ等の毛並みに入り込ませることができる程度の強さである。
【００１９】
次に、本実施形態の作用について説明する。なお、以下の説明において、主たる進行方向とは、前記突起群２０によって絨毯Ｃ等から抜け毛等を梳き出すために、前記ノズル１を動かす場合の移動方向である。一方、戻し方向とは、前記ノズル１を主たる進行方向に繰り返し動かすために、前記ノズル１を戻す場合の移動方向である。なお、主たる進行方向と戻し方向は、ほぼ逆方向となる。まず、使用者は、前記ノズル１の接続管１７を、図示しない掃除機本体の吸引経路に接続する。そして、前記吸込口６が絨毯Ｃ等に対向するように、前記起毛部材９及びローラー１４を絨毯Ｃ等に接触させて、前記ノズル１を絨毯Ｃ等の上に配置する。この際、前記突起群２０は、前記コイルバネ２１の付勢力に抗して、前記溝部１２内に押し込まれる。なお、前記突起群２０は、前記ノズル本体２及び接続管部３の自重によって、前記溝部１２内に押し込まれる。また、この際、前記突起群２０は、前記溝部１２内に完全に押し込まれる訳ではなく、それを構成する前記各突起２５の先端部が、絨毯Ｃの毛並み等に入り込む。即ち、前記突起群２０の突起２５は、前記コイルバネ２１によって、絨毯Ｃ等に適度な力で押し付けられる。
【００２０】
この状態で、図示しない前記掃除機本体を作動させ、前記ノズル１を絨毯Ｃ等の面に沿って、主たる進行方向となる前方向Ｄに移動させる。この際、比較的軟質なエラストマー等で形成された前記突起群２０の各突起２５は、図５に示すように、容易に後方に撓む。従って、前記各突起２５は、絨毯Ｃの毛並み等に先端が入り込んだ状態で、且つ、後方に撓んだ状態で、前方向Ｄに移動することになる。この際、前記各突起２５は、絨毯Ｃの毛並み等から抜け毛等を梳き出す。そして、前記各突起２５によって前方に梳き出された抜け毛等は、前記突起群２０の前側に設けられた前記吸込口６から吸引される。この際、使用者の操作力によって、前記ノズル１を絨毯Ｃ等に押し付ける力が強まる。しかしながら、前記突起群２０は、前記コイルバネ２１の付勢力によって絨毯Ｃ等に押し付けられるので、前記突起群２０を絨毯Ｃ等に押し付ける力は殆ど変わらない。
【００２１】
なお、前述したように、前記各突起２５が比較的軟質なエラストマー等で形成されることで、絨毯Ｃの毛並み等から受ける抵抗によって、容易に後方に撓むので、前記突起群２０に過大な抵抗が加わらないようにすることができる。また、前述したように、前記突起群２０が、前記コイルバネ２１によって、絨毯Ｃ等に適度な力で押し付けられることで、前記ノズル１を動かす際に、絨毯Ｃ等から受ける抵抗の大小によって、また、使用者の操作力の大小によって、前記突起群２０が上下に動くので、前記突起群２０に過大な抵抗が加わらないようにすることができる。従って、前記ノズル１は、絨毯Ｃ等を傷めることなく、また、前記突起群２０の摩耗や破損を最小限に抑えつつ、良好に絨毯Ｃ等の広い範囲から抜け毛等を梳き出して回収することができる。また、前述した通り、前記突起群２０が絨毯Ｃ等の毛並み等から過大な抵抗を受けないので、前記ノズル１を絨毯Ｃ等に沿って動かす際の操作力を軽くすることができる。
【００２２】
なお、前記突起群２０の各突起２５の先端部は、摩耗が最小限に抑えられるものの、長期間使用することで、徐々に摩耗する。しかしながら、前述した通り、前記突起群２０の各突起２５が、前記コイルバネ２１によって、絨毯Ｃ等に適度な力で押し付けられると共に、その先端部が絨毯Ｃの毛並み等に入り込むことで、前記各突起２５の先端部における絨毯Ｃの毛並み等に入り込んだ部分が、全体的に摩耗する。そして、前述した通り、前記各突起２５は、先端が丸められた楕円錐状であるため、その先端部が摩耗しても、これらの先端部をある程度細く保つことができる。なお、前記各突起２５の先端部が摩耗して短くなったとしても、図６に示すように、短くなった分、前記突起群２０の基部２４が下方に位置することになる。これによって、前記各突起２５の先端部が絨毯Ｃの毛並み等に入り込む量は、前記各突起２５の摩耗状態によらず、ほぼ一定となる。従って、前記突起群２０は、長期間、良好に絨毯Ｃ等から抜け毛等を梳き出すことができる。即ち、前記ノズル１は、長期間、良好に絨毯Ｃ等から抜け毛等を回収することができる。
【００２３】
なお、前記ノズル１は、絨毯Ｃ等の上を、主たる進行方向となる前方向Ｄだけでなく、戻し方向となる後方向へも動かすのが自然である。そして、前記ノズル１を戻し方向に動かすと、このノズル１の戻し方向に対し、前記突起群２０が前記吸込口６の前側に位置するので、絨毯Ｃ等から梳き出された抜け毛等が前記突起群２０に絡み付く可能性がある。しかしながら、この際、絨毯Ｃ等から前記ローラー１４が抵抗を受けることにより、前記接続管部３によって後方向に引かれた前記ノズル本体２は、前記ローラー１４を中心に前側が持ち上がり気味となる。このため、前記突起群２０を絨毯Ｃ等に押し付ける力は弱まる。従って、前記突起群２０は、絨毯Ｃ等から抜け毛等を梳き出しにくくなる。なお、前記突起群２０が絨毯Ｃ等から抜け毛等を梳き出しても、前述した通り、前記各突起２５が楕円錐状に形成されるので、前記突起群２０が梳き出した抜け毛等は、前記ノズル１の動きに伴って、前記各突起２５の傾斜に沿って抜ける。これによって、前記突起群２０は、抜け毛等が絡み付かないようにすることができる。また、前記ノズル１を後方向に動かす場合における前記各突起２５の先端部の摩耗は、前記ノズル１を前方向Ｄに動かす場合における摩耗よりも更に小さい。
【００２４】
以上のように本発明は、進行方向に対し横長となる吸込口６を有するノズル本体２と、このノズル本体２を図示しない掃除機本体に接続するための接続管部３と、前記吸込口６の近傍に設けられた突起群２０とを有する電気掃除機用ノズル１であって、前記ノズル本体２の主たる進行方向である前方向Ｄを基準として、前記吸込口６の後側に前記突起群２０を出没可能に設けると共に、前記突起群２０を突出方向に付勢する付勢手段としてのコイルバネ２１を設けたことで、前記突起群２０が、前記コイルバネ２１の付勢力によって、絨毯Ｃ等に適度な力で押し付けられ、この状態で前記ノズル１を絨毯Ｃ等に沿って前方向Ｄに動かすことで、絨毯Ｃ等から受ける抵抗によって前記突起群２０が上下に動くので、絨毯Ｃ等及び前記突起群２０の傷みを最小限にすると共に、この突起群２０が絨毯Ｃ等から受ける抵抗を小さくして、軽い操作力で良好に絨毯Ｃ等の広い範囲から抜け毛等を梳き出し、前記突起群２０の前側に位置する前記吸込口６から吸引することができるものである。
【００２５】
また、本発明は、前記突起群２０を構成する各突起２５を、それぞれ先端が丸められた楕円錐状に形成したことにより、前記突起群２０に絡んだ抜け毛等が、前記ノズル１の動きに伴って、前記各突起２５の傾斜に沿って抜けるので、前記突起群２０に抜け毛等が絡み付かないようにすることができるばかりでなく、前記絨毯Ｃの毛並み等に入り込んだ前記各突起２５の先端部が全体的に摩耗しても、これらの先端部をある程度細く保つことができるので、長期間、良好に絨毯Ｃ等から抜け毛等を梳き出して回収することができるものである。
【００２６】
次に、本発明の第二の実施形態について、図７に基づいて説明する。この第二の実施形態のノズル３１は、ノズル本体３２を構成する下本体３３の突出部３４に、中央溝部３５Ａと、一対の側溝部３５Ｂとを、それぞれ左右方向の同一直線上に並べて形成する。また、これらの溝部３５Ａ，３５Ｂには、それぞれ複数の爪状の抜け止め部３６Ａ，３６Ｂが形成される。そして、前記各溝部３５Ａ，３５Ｂには、それぞれ中央突起小群３７Ａ、一対の側突起小群３７Ｂ及び図示しない付勢手段としての複数のコイルバネが設けられる。そして、これらの突起小群３７Ａ，３７Ｂは、それぞれ、フレーム３８Ａ，３８Ｂと、エラストマー等で形成された突起部材３９Ａ，３９Ｂとを有して構成される。そして、前記各突起部材３９Ａ，３９Ｂは、それぞれ、横長棒状の基部４０Ａ，４０Ｂと、これらの基部４０Ａ，４０Ｂに対し直交して設けられた複数の突起４１Ａ，４１Ｂとで一体に形成される。なお、前記各突起小群３７Ａ，３７Ｂ自体の構造及び取付構造は、第一の実施形態における突起群２０のそれと同様であるので、説明を省略する。
【００２７】
次に、本実施形態の作用について説明する。本実施形態における基本的な作用は、第一の実施形態と同様である。更に、本実施形態では、前記各突起小群３７Ａ，３７Ｂが独立して動作する。これによって、毛足の長さを違えることで模様を形成した絨毯Ｃ等であっても、毛足の長さに応じて各突起小群３７Ａ，３７Ｂが独立して上下に移動する。このため、前記ノズル３１の左右で抜け毛の梳き出し性能に斑が生じにくく、絨毯Ｃ等の全面に亘って良好に抜け毛等を回収することができる。
【００２８】
次に、本発明の第三の実施形態について、図８に基づいて説明する。この第三の実施形態のノズル５１は、ノズル本体５２を構成する下本体５３の突出部５４に、中央溝部５５Ａと、一対の側溝部５５Ｂとを形成する。なお、前記各溝部５５Ａ、５５Ｂは、それぞれ左右方向に形成される。また、一対の前記側溝部５５Ｂは、それぞれ左右方向の同一直線上に並べて形成される。なお、連通部７から離れた位置に設けられた前記各側溝部５５Ｂは、前記連通部７に近い位置に設けられた前記中央溝部５５Ａよりも前方、即ち、左右方向に直線的に形成された吸込口６に近い位置に形成される。また、前記各溝部５５Ａ，５５Ｂには、それぞれ複数の爪状の抜け止め部５６Ａ，５６Ｂが形成される。そして、前記各溝部５５Ａ，５５Ｂには、それぞれ中央突起小群３７Ａ、一対の側突起小群３７Ｂ及び図示しない付勢手段としての複数のコイルバネが設けられる。なお、前記各突起小群３７Ａ，３７Ｂ自体の構造及び取付構造は、第二の実施形態と同様であるので、説明を省略する。
【００２９】
次に、本実施形態の作用について説明する。本実施形態における基本的な作用は、第二の実施形態と同様である。更に、本実施形態では、前記連通部７から離れた位置の前記側突起小群３７Ｂが、前記連通部７の近くの前記中央突起小群３７Ａよりも、前記吸込口６に近付けて設けられるので、吸引力が相対的に低下する前記吸込口６の左右両側部近傍であっても、梳き出された抜け毛等を良好に前記吸込口６から連通部７を経て図示しない掃除機本体に回収することができる。
【００３０】
次に、本発明の第四の実施形態について、図９に基づいて説明する。この第四の実施形態のノズル６１は、ノズル本体６２を構成する下本体６３の突出部６４に、溝部６５を形成する。この溝部６５は、左右方向に直線的に形成された中央溝部６５Ａと、側方ほど前方となるように傾斜して設けられた一対の側溝部６５Ｂとで構成される。即ち、前記溝部６５は、連通部７から離れるほど、左右方向に直線的に形成された吸込口６に近付くように構成される。なお、前記中央溝部６５Ａと側溝部６５Ｂは、一体に形成される。また、前記溝部６５には、複数の爪状の抜け止め部６６が形成される。そして、前記溝部６５には、突起群６７及び図示しない付勢手段としての複数のコイルバネが設けられる。そして、前記突起群６７は、フレーム６８と、エラストマー等で形成された突起部材６９とを有して構成される。前記フレーム６８は、前記中央溝部６５Ａに対応した中央部６８Ａと、前記側溝部６５Ｂに対応した側部６８Ｂとで一体に形成される。そして、前記突起部材６９は、基部７０と、この基部７０に対し直交して設けられた複数の突起７１とで一体に形成される。そして、前記突起部材６９の基部７０も、前記中央溝部６５Ａに対応した中央部７０Ａと、前記側溝部に対応した側部７０Ｂとで一体に形成される。同様に、前記突起部材６９の突起７１も、前記基部７０の中央部７０Ａに設けられた中央突起７１Ａと、前記各側部７０Ｂに設けられた側突起７１Ｂとを有する。なお、前記突起群６７自体の構造及び取付構造は、曲げて構成される以外は第一の実施形態における突起群２０のそれと同様であるので、説明を省略する。
【００３１】
次に、本実施形態の作用について説明する。本実施形態における基本的な作用は、第一の実施形態と同様である。更に、本実施形態では、前記連通部７から離れた位置の前記側突起７１Ｂが、前記連通部７の近くの前記中央突起７１Ａよりも、前記吸込口６に近付けて設けられると共に、前記側突起７１Ｂにおいても、側方ほど前記吸込口６に近付けて設けられるので、吸引力が相対的に低下する前記吸込口６の左右両側部近傍であっても、ノズル６１全体でほぼ均等に、梳き出された抜け毛等を良好に前記吸込口６から連通部７を経て図示しない掃除機本体に回収することができる。
【００３２】
次に、本発明の第五の実施形態について、図１０に基づいて説明する。この第五の実施形態のノズル８１は、ノズル本体８２を構成する下本体８３の突出部８４に、溝部８５を形成する。この溝部８５は、左右方向に直線的に形成される。これに対し、前記ノズル本体８２に設けられた吸込口８６は、その後端が、連通部７から離れるほど後退するように形成される。即ち、前記溝部８５は、連通部７から離れるほど前記吸込口８６に近付くように構成される。そして、前記溝部８５には、複数の爪状の抜け止め部８７が形成される。そして、前記溝部８５には、突起群２０及び図示しない付勢手段としての複数のコイルバネが設けられる。なお、前記突起群２０自体の構造及び取付構造は、第一の実施形態における突起群２０のそれと同一であるので、説明を省略する。
【００３３】
次に、本実施形態の作用について説明する。本実施形態における基本的な作用は、第一の実施形態と同様である。更に、本実施形態では、前記連通部７から離れた位置の突起２５が、前記連通部７の近くの突起２５よりも、前記吸込口８６に近付けて設けられると共に、前記各突起２５の間でも、側方ほど前記吸込口８６に近付けて設けられるので、吸引力が相対的に低下する前記吸込口８６の左右両側部近傍であっても、ノズル８１全体でほぼ均等に、梳き出された抜け毛等を良好に前記吸込口８６から連通部７を経て図示しない掃除機本体に回収することができる。
【００３４】
なお、本発明は以上の実施形態に限定されるものではなく、発明の要旨の範囲内で種々の変形実施が可能である。例えば、第二及び第三の実施形態において、突起群を三つの突起小群に分割したが、二つ或いは四つ以上の突起小群に分割しても良い。また、各突起が独立して動作するように構成しても良い。また、上述した実施形態を更に組み合わせるような構造としても良い。更に、上記各実施形態では、付勢手段としてコイルバネを用いたが、これ以外の付勢手段、例えば板バネ等を用いても良い。
【符号の説明】
【００３５】
１，３１，５１，６１，８１  ノズル
２，３２，５２，６２，８２  ノズル本体
３  接続管部
６，８６  吸込口
７  連通部
２０，６７  突起群
２１  コイルバネ（付勢手段）
２５，４１Ａ，４１Ｂ，７１  突起
３７Ａ  中央突起小群
３７Ｂ  側突起小群
Ｃ  絨毯
Ｄ  前方向（主たる進行方向）
【図１】
2012135369.tif 000003
【図２】
2012135369.tif 000004
【図３】
2012135369.tif 000005
【図４】
2012135369.tif 000006
【図５】
2012135369.tif 000007
【図６】
2012135369.tif 000008
【図７】
2012135369.tif 000009
【図８】
2012135369.tif 000010
【図９】
2012135369.tif 000011
【図１０】
2012135369.tif 000012